(57)【特許請求の範囲】
【請求項１】
移動体通信における複数の移動体基地局制御装置及び移動体交換機を有するシステムを用いて、移動体基地局制御装置間のパス接続を行うハンドオーバー処理方法であって、
移動体基地局制御装置が、パス確立要求又はパス確立応答、パス確立要求先の移動体基地局制御装置の仮想パスコネクション識別子、仮想チャネル識別子、及びチャネル識別子を含むフレームを移動体交換機に送信するステップと、
前記移動体交換機が、前記フレームに含まれている仮想パスコネクション識別子、仮想チャネル識別子、及びチャネル識別子に基づいて、前記フレームを送信する移動体基地局制御装置を判別するステップと、
前記判別された移動体基地局制御装置に前記フレームを送信するステップと
を有することを特徴とするハンドオーバー処理方法。
【請求項２】
移動体通信における第１の移動体基地局制御装置、第２の移動体基地局制御装置、及び移動体交換機とを有するシステムを用いて、移動体基地局制御装置間のパス接続を行うハンドオーバー処理方法であって、
第１の移動体基地局制御装置が、パス確立要求、第２の移動体基地局制御装置の仮想パスコネクション識別子、仮想チャネル識別子、及びチャネル識別子を含むフレームを移動体交換機に送信するステップと、
前記移動体交換機が、前記フレームに含まれている仮想パスコネクション識別子、仮想チャネル識別子、及びチャネル識別子に基づいて、前記フレームを送信する第２の移動体基地局制御装置を判別するステップと、
前記判別された第２の移動体基地局制御装置に前記フレームを送信するステップと、
第２の移動体基地局制御装置が、パス確立の要求に対する応答、第１の移動体基地局制御装置の仮想パスコネクション識別子、仮想チャネル識別子、及びチャネル識別子を含むフレームを送信するステップと、
前記移動体交換機が、前記フレームに含まれている仮想パスコネクション識別子、仮想チャネル識別子、及びチャネル識別子に基づいて、前記フレームを送信する第１の移動体基地局制御装置を判別するステップと、
前記判別された第１の移動体基地局制御装置に、前記パス確立の要求に対する応答、第１の移動体基地局制御装置の仮想パスコネクション識別子、仮想チャネル識別子、及びチャネル識別子を含むフレームを送信するステップと
を有することを特徴とするハンドオーバー処理方法。
【請求項３】
前記ハンドオーバー処理方法は、
前記移動体交換機が、仮想パスコネクション識別子、仮想チャネル識別子、及びチャネル識別子の情報の送信を全移動体基地局制御装置に要求するステップと、
前記全移動体基地局制御装置が、仮想パスコネクション識別子、仮想チャネル識別子、及びチャネル識別子の情報を前記移動体交換機に送信するステップと、
前記移動体基地局制御装置と、前記移動体基地局制御装置からの仮想パスコネクション識別子と、前記移動体基地局制御装置からの仮想チャネル識別子と、前記移動体基地局制御装置からのチャネル識別子とを関連付けて前記移動体交換機に記憶するステップと
を更に有することを特徴とする請求項１又は請求項２に記載のハンドオーバー処理方法。
【請求項４】
移動体通信における移動体基地局制御装置及び移動体交換機を有するハンドオーバーシステムであって、
前記移動体基地局制御装置は、
パス確立要求又はパス確立応答、仮想パスコネクション識別子、仮想チャ
ネル識別子、及びチャネル識別子を含むフレームを生成する手段と、
前記フレームの送信及び／又は受信を行う送・受信手段と、
を有し、
前記移動体交換機は、
前記移動体基地局制御装置からのフレームの送信及び／又は受信を行う
送・受信手段と、
前記移動体基地局制御装置と、前記仮想パスコネクション識別子と、仮想
チャネル識別子と、チャネル識別子とが関連付けて記憶されている記憶手段
と、
前記送・受信手段で受信したフレームに含まれている仮想パスコネクショ
ン識別子、仮想チャネル識別子、及びチャネル識別子と同一の仮想パスコネ
クション識別子、仮想チャネル識別子、及びチャネル識別子が割り当てられ
ている移動体基地局制御装置を前記記憶手段から検索し、前記検索された移
動体基地局制御装置に前記フレームを前記送・受信手段に送信させる制御手
段と
を有することを特徴とするハンドオーバーシステム。
【請求項５】
移動体通信における移動体基地局制御装置及び移動体交換機を有するハンドオーバーシステムであって、
前記移動体交換機は、
前記移動体基地局制御装置からのフレームの送信及び／又は受信を行う
送・受信手段と、
前記移動体基地局制御装置と、前記仮想パスコネクション識別子と、仮想
チャネル識別子と、チャネル識別子とが関連付けて記憶されている記憶手段
と、
前記送・受信手段で受信したフレームに含まれている仮想パスコネクショ
ン識別子、仮想チャネル識別子、及びチャネル識別子と同一の仮想パスコネ
クション識別子、仮想チャネル識別子、及びチャネル識別子が割り当てられ
ている移動体基地局制御装置を前記記憶手段から検索し、前記検索された移
動体基地局制御装置に前記フレームを前記送・受信手段に送信させる制御手
段と
を有することを特徴とするハンドオーバーシステム。
【請求項６】
前記制御手段は、
移動体基地局制御装置の仮想パスコネクション識別子、仮想チャネル識別子、及びチャネル識別子の情報を全移動体基地局制御装置に要求するように構成されていることを特徴とする請求項４又は請求項５に記載のハンドオーバーシステム。
【発明の詳細な説明】
【０００１】
【発明が属する技術分野】
本発明は、移動通信におけるハンドオーバー方法、及びそのシステムに関し、特に移動交換機を介して直接に移動体基地局制御装置間のパス接続を確立するハンドオーバー方法、及びそのシステムに関する。
【０００２】
【従来技術】
従来の移動体システムについて図７〜図９を用いて説明する。
【０００３】
図７は第１の移動体システムのブロック図である。図８は第１の移動体システムの動作を説明する為の図である。図９は第２の移動体システムのブロック図である。
【０００４】
まず、第１の移動体システムについて説明する。
【０００５】
図７に示すが如く、移動体システムには、移動体交換機（ＭＳＣ：Ｍｏｂｉｌｅ  Ｓｗｉｔｃｈｉｎｇ  Ｃｏｎｔｒｏｌｌ）６０２に移動体基地局制御装置（ＲＮＣ：Ｒａｄｉｏ  Ｎｅｔｗｏｒｋ  Ｃｏｎｔｒｏｌｌｅｒ）６０１，６０２が接続され、ＲＮＣ６０１には移動体基地局（Ｎｏｄｅ）６０４，６０５が接続され、ＲＮＣ６０３にはＮｏｄｅ６０６，６０７が接続されている。そして、通話中に移動体機端末（ＵＥ：Ｕｓｅｒ  Ｅｑｕｉｐｍｅｎｔ）がＮｏｄｅ６０５のサービスエリアからＮｏｄｅ６０６のサービスエリアに移動した場合、ＲＮＣ６０１とＲＮＣ６０３との間でハンドオーバー処理を行う為、ＩＴＵ−Ｔ  Ｑ．２６３０．１のプロトコルメッセージを用いて、ＲＮＣ６０１とＲＮＣ６０３との間でパス確立をする。
【０００６】
このパス確立を行う際、図８に示すが如く、まず、ＲＮＣ６０１は、ＡＬＣＡＰ（Ａｃｃｅｓｓ  Ｌｉｎｋ  Ｃａｐａｂｉｌｉｔｉｅｓ  Ａｐｐｌｉｃａｔｉｏｎ  Ｐａｒｔ）２用ＶＣ（Ｖｉｒｔｕａｌ  Ｃｈａｎｎｅｌ）を介して、パス確立を要求する為のＡＡＬ（ＡＴＭ  Ａｄａｐｔａｔｉｏｎ  Ｌａｙｅｒ）２確立要求、仮想パスコネクション識別子（ＶＰＣＩ：Ｖｉｒｔｕａｌ  Ｐａｔｈ  Ｃｏｎｎｅｃｔｉｏｎ  Ｉｄｅｎｔｉｆｉｅｒ）、仮想チャネル識別子（ＶＣＩ：Ｖｉｒｔｕａｌ  Ｃｈａｎｎｅｌ  Ｉｄｅｎｔｉｆｉｅｒ）、及びチャネル識別子（Ｃｈａｎｎｅｌ  ＩＤｅｎｔｉｆｉｅｒ）の値を含んだフレームをＭＳＣ６０２に送信する。そして、ＲＮＣ６０１からのフレームを受信したＭＳＣ６０２は、ＲＮＣ６０１にＡＡＬ２確立応答を含んだフレームを送信してＲＮＣ６０１とＭＳＣ６０２とのパス確立を行う。更に、ＭＳＣ６０２は、ＲＮＣ６０１から受信したＶＰＣＩ，ＶＣＩ，ＣＩＤの値と一致するＶＰＣＩ，ＶＣＩ，ＣＩＤの値が割り振られたＲＮＣ６０３に、ＡＡＬ２確立要求、ＶＰＣＩ，ＶＣＩ、及びＣＩＤの値を含んだフレームを送信し、このフレームを受信したＲＮＣ６０３は、ＡＡＬ２確立応答を含んだフレームをＭＳＣ６０２に送信する。この様にして、ＲＮＣ６０１とＲＮＣ６０３とのパス確立を行う。
【０００７】
次に、第２の従来例について説明する。
【０００８】
図９は第２の移動体システムのブロック図である。
【０００９】
図９に示すが如く、第２の移動体システムは、ＭＳＣ６０２を介さずＲＮＣ６０１とＲＮＣ６０３とを直接接続した構成のものである。このような構成を取ることで、ＲＮＣ６０１は、ＡＬＣＡＰ用ＶＣを介して、ＲＮＣ６０３に対するＡＡＬ２確立要求及びＡＬＬ２確立応答の送受信を直接に行うことができる。
【００１０】
【発明が解決しようとする課題】
しかしながら、第１の移動体システムでは、ＲＮＣ６０１とＲＮＣ６０３とのパス確立を行う為に、まず、ＲＮＣ６０１とＭＳＣ６０２との間でパス確立処理を行い、更に、ＭＳＣ６０２とＲＮＣ６０３とのパス確立処理を行う必要があり、ＲＮＣ６０１とＲＮＣ６０３とのパスを確立するのに、２回のパス確立処理を行わなければならず、ＭＳＣ６０２の処理能力が低下してしまう欠点があった。
【００１１】
又、第２の移動体システムでは、ＲＮＣが増加する毎に、全ＲＮＣ間で物理回線を用意する必要が生じてしまい、コスト面で問題があった。
【００１２】
本発明はかかる点に鑑みてなされたものであり、本発明が解決しようとする課題は、ＲＮＣからパス確立の要求があった場合、ＭＳＣはＲＮＣからのフレームに含まれているＶＰＣＩ、ＶＣＩ、及びＣＩＤの値に対応するＲＮＣを判別し、判別されたＲＮＣに対してフレームを送信し、パス確立の要求を受けたＲＮＣは、パス確立の応答を含んだフレームをパス確立の要求元のＲＮＣにＭＳＣを介して送信することによって、直接、ＲＮＣ間のパス確立を行う技術を提供することにある。
【００１３】
【課題を解決するための手段】
前記の課題は、移動体通信における複数の移動体基地局制御装置及び移動体交換機を有するシステムを用いて、移動体基地局制御装置間のパス接続を行うハンドオーバー処理方法であって、
移動体基地局制御装置が、パス確立要求又はパス確立応答、パス確立要求先の移動体基地局制御装置の仮想パスコネクション識別子、仮想チャネル識別子、及びチャネル識別子を含むフレームを移動体交換機に送信するステップと、
前記移動体交換機が、前記フレームに含まれている仮想パスコネクション識別子、仮想チャネル識別子、及びチャネル識別子に基づいて、前記フレームを送信する移動体基地局制御装置を判別するステップと、
前記判別された移動体基地局制御装置に前記フレームを送信するステップと
を有することを特徴とするハンドオーバー処理方法によって解決される。
【００１４】
前記の課題は、移動体通信における第１の移動体基地局制御装置、第２の移動体基地局制御装置、及び移動体交換機とを有するシステムを用いて、移動体基地局制御装置間のパス接続を行うハンドオーバー処理方法であって、
第１の移動体基地局制御装置が、パス確立要求、第２の移動体基地局制御装置の仮想パスコネクション識別子、仮想チャネル識別子、及びチャネル識別子を含むフレームを移動体交換機に送信するステップと、
前記移動体交換機が、前記フレームに含まれている仮想パスコネクション識別子、仮想チャネル識別子、及びチャネル識別子に基づいて、前記フレームを送信する第２の移動体基地局制御装置を判別するステップと、
前記判別された第２の移動体基地局制御装置に前記フレームを送信するステップと、
第２の移動体基地局制御装置が、パス確立の要求に対する応答、第１の移動体基地局制御装置の仮想パスコネクション識別子、仮想チャネル識別子、及びチャネル識別子を含むフレームを送信するステップと、
前記移動体交換機が、前記フレームに含まれている仮想パスコネクション識別子、仮想チャネル識別子、及びチャネル識別子に基づいて、前記フレームを送信する第１の移動体基地局制御装置を判別するステップと、
前記判別された第１の移動体基地局制御装置に、前記パス確立の要求に対する応答、第１の移動体基地局制御装置の仮想パスコネクション識別子、仮想チャネル識別子、及びチャネル識別子を含むフレームを送信するステップと
を有することを特徴とするハンドオーバー処理方法によって解決される。
【００１５】
特に、前記ハンドオーバー処理方法は、
前記移動体交換機が、仮想パスコネクション識別子、仮想チャネル識別子、及びチャネル識別子の情報の送信を全移動体基地局制御装置に要求するステップと、
前記全移動体基地局制御装置が、仮想パスコネクション識別子、仮想チャネル識別子、及びチャネル識別子の情報を前記移動体交換機に送信するステップと、前記移動体基地局制御装置と、前記移動体基地局制御装置からの仮想パスコネクション識別子と、前記移動体基地局制御装置からの仮想チャネル識別子と、前記移動体基地局制御装置からのチャネル識別子とを関連付けて前記移動体交換機に記憶するステップと
を更に有することを特徴とする。
【００１６】
前記の課題は、移動体通信における移動体基地局制御装置及び移動体交換機を有するハンドオーバーシステムであって、
前記移動体基地局制御装置は、
パス確立要求又はパス確立応答、仮想パスコネクション識別子、仮想チャネ
ル識別子、及びチャネル識別子を含むフレームを生成する手段と、
前記フレームの送信及び／又は受信を行う送・受信手段と、
を有し、
前記移動体交換機は、
前記移動体基地局制御装置からのフレームの送信及び／又は受信を行う送・
受信手段と、
前記移動体基地局制御装置と、前記仮想パスコネクション識別子と、仮想チャネル識別子と、チャネル識別子とが関連付けて記憶されている記憶手段と、前記送・受信手段で受信したフレームに含まれている仮想パスコネクション識別子、仮想チャネル識別子、及びチャネル識別子と同一の仮想パスコネクション識別子、仮想チャネル識別子、及びチャネル識別子が割り当てられている移動体基地局制御装置を前記記憶手段から検索し、前記検索された移動体基地
局制御装置に前記フレームを前記送・受信手段に送信させる制御手段と
を有することを特徴とするハンドオーバーシステムによって解決される。
【００１７】
前記の課題は、移動体通信における移動体基地局制御装置及び移動体交換機を有するハンドオーバーシステムであって、
前記移動体交換機は、
前記移動体基地局制御装置からのフレームの送信及び／又は受信を行う
送・受信手段と、
前記移動体基地局制御装置と、前記仮想パスコネクション識別子と、仮想
チャネル識別子と、チャネル識別子とが関連付けて記憶されている記憶手段
と、
前記送・受信手段で受信したフレームに含まれている仮想パスコネクショ
ン識別子、仮想チャネル識別子、及びチャネル識別子と同一の仮想パスコネ
クション識別子、仮想チャネル識別子、及びチャネル識別子が割り当てられ
ている移動体基地局制御装置を前記記憶手段から検索し、前記検索された移
動体基地局制御装置に前記フレームを前記送・受信手段に送信させる制御手
段と
を有することを特徴とするハンドオーバーシステムによって解決される。
【００１８】
特に、前記制御手段は、
移動体基地局制御装置の仮想パスコネクション識別子、仮想チャネル識別子、及びチャネル識別子の情報を全移動体基地局制御装置に要求するように構成されていることを特徴とする。
【００１９】
【発明の実施の形態】
本発明により実施の形態について図１〜図６を用いて説明する。
【００２０】
図１は移動体システムのブロック図である。
図１に示すが如く、通話中に移動端末装置６がＮｏｄｅ１２のサービスエリア内からＮｏｄｅ３１のサービスエリア内に移動した場合、引き続き通話を行う為には、移動体基地局制御装置１（ＲＮＣ：Ｒａｄｉｏ  Ｎｅｔｗｏｒｋ  Ｃｏｎｔｒｏｌｌｅｒ）とＲＮＣ３との間でハンドオーバー処理を行う必要があり、その前処理としてＲＮＣ１とＲＮＣ３との間でパスの確立を行う必要が生じる。
【００２１】
以下、本発明を実現する為の方法について説明する。
【００２２】
まず、移動体システムの初期設定方法について説明する。
【００２３】
ＲＮＣ間でパス確立の要求が発生した場合に、直接ＲＮＣ間でパス確立の処理を行うことができるように、ＲＮＣ間にパス確立の為のＶＰ（Ｖｉｒｔｕａｌ  Ｐａｔｈ）を用意し、この用意したＶＰが、どのように各ＲＮＣに割り当てられているか知る為に、移動体交換機（ＭＳＣ：Ｍｏｂｉｌｅ  ＳｗｉｔｃｈｉｎｇＣｏｎｔｒｏｌｌ）とＲＮＣとの間で固定パス（ＰＶＰ：ＰｅｒｍａｎｅｎｔＶｉｒｔｕａｌ  Ｐａｔｈ）接続を行う。そして、ＭＳＣは、ＰＶＰ接続によって全ＲＮＣに割り当てられているＶＰＣＩ，ＶＣＩ、及びＣＩＤの値を取得し、取得したＶＰＣＩ，ＶＣＩ、及びＣＩＤの値とＲＮＣとを関連付けて記憶したパス対応データベースを作成する。
【００２４】
次に、ＲＮＣ間のパス確立の方法について説明する。
【００２５】
図２は本実施の形態を説明する為の図である。図３はＲＮＣ１とＲＮＣ３とのパス確立の動作を説明する為の図である。
【００２６】
通話中に移動端末装置６がＮｏｄｅ１２のサービスエリアからＮｏｄｅ３１のサービスエリアに移動した場合、ＲＮＣ１とＲＮＣ３との間でハンドオーバー処理を行う為、ＲＮＣ間で半固定パス（ＰＶＣ：Ｐｅｒｍａｎｅｎｔ  Ｖｉｒｔｕａｌ  Ｃｈａｎｎｅｌ）接続を行う。以下具体的に説明する。
【００２７】
ＲＮＣ１は、図２及び図３に示すが如く、ＡＬＣＡＰ（Ａｃｃｅｓｓ  Ｌｉｎｋ  Ｃａｐａｂｉｌｉｔｉｅｓ  Ａｐｐｌｉｃａｔｉｏｎ  Ｐａｒｔ）２用ＶＣ（Ｖｉｒｔｕａｌ  Ｃｈａｎｎｅｌ）を介して、パス確立を要求する為のＡＡＬ（ＡＴＭ  Ａｄａｐｔａｔｉｏｎ  Ｌａｙｅｒ）２確立要求、ＲＮＣ３に割り当てられているＶＰＣＩ，ＶＣＩ、及びＣＩＤの値を含んだフレームをＭＳＣ２に送信する。ＭＳＣ２は、ＲＮＣ１から送信されたフレームに含まれているＶＰＣＩ，ＶＣＩ、及びＣＩＤの値と同一のＶＰＣＩ，ＶＣＩ、及びＣＩＤの値が割り当てられているＲＮＣを自装置のパス対応デーベースから検索し、検索されたＲＮＣにフレームを送信する。そして、フレームを受信したＲＮＣは、ＡＡＬ２確立要求元のＲＮＣに対して、ＡＡＬ２確立応答、ＡＡＬ２確立要求元のＲＮＣのＶＰＣＩ、ＶＣＩ、及びＣＩＤを含んだフレームを返送し、ＲＮＣ間のパスを確立する。
【００２８】
上述の方法を実現する装置について説明する。
【００２９】
図４は本発明のブロック図である。図５はパス対応データベースを説明する為の図である。
【００３０】
図４中、１０１，３０１はＲＮＣ１，３の送受信部である。送受信部１０１，３０１は、ＲＮＣ間のパスを確立する為のＡＡＬ２確立要求、パス確立要求先のＲＮＣのＶＰＣＩ，ＶＣＩ、及びＣＩＤの値を含んだフレームを送受信し、又は、ＡＡＬ２確立要求に応答するＡＡＬ２確立応答、パス確立要求元のＲＮＣのＶＰＣＩ，ＶＣＩ及びＣＩＤの値を含んだフレームを送受信するものである。
【００３１】
１０２，３０２はＲＮＣ１，３の制御部である。制御部１０２，３０２は、引き続き通話ができるようするハンドオーバー処理を行う為、ＲＮＣ間のパス確立処理を制御するものである。例えば、図１に示すが如く、移動端末装置６が通話中にＮｏｄｅ１２のサービスエリアからＮｏｄｅ３１のサービスエリアに移動した場合、ＲＮＣ１の制御部１０２は、ＲＮＣ間のパスを確立する為のＡＡＬ２確立要求、ＲＮＣ３に割り当てられている”ＶＰＣＩ＝１，ＶＣＩ＝４，ＣＩＤ＝５”を含んだフレームを送受信部１０１に送信させる。一方、ＲＮＣ３の制御部３０２は、ＭＳＣ２を介して送信されたフレームを送受信部３０２に受信させ、ＡＡＬ２確立要求に対するＡＡＬ２確立応答、ＲＮＣ１に割り当てられている”ＶＰＣＩ＝１，ＶＣＩ＝２，ＣＩＤ＝３”を含んだフレームを送受信部３０１に送信させる。そして、ＲＮＣ１の制御部１０２は、ＲＮＣ２を介して、ＲＮＣ３からのフレームを受信するとＲＮＣ１とＲＮＣ２との間でパスが確立されたと判断する。
【００３２】
２０１，２０２はＭＳＣ２の送受信部である。送受信部２０１，２０２は、制御部２０４の指示に従って、ＲＮＣ１，３からのフレームを送受信するものである。
【００３３】
２０３はＭＥＭ（記憶装置）である。ＭＥＭ２０３は、パス対応データベースを記憶しているものである。パス対応データベースは、図５に示すが如く、１レコードが、ＲＮＣ、このＲＮＣと自装置（ＭＳＣ）とがいずれの物理回線に接続されているかを示すＶＰＣＩ、ＶＣＩ、及びＣＩＤフィールドからなる。例えば、図４中、ＲＮＣ１は、”ＶＰＣＩ＝１，ＶＣＩ＝２，ＣＩＤ＝３”に接続されており、ＲＮＣ３は、”ＶＰＣＩ＝１，ＶＣＩ＝４，ＣＩＤ＝５”に接続されている。
【００３４】
２０４はＭＳＣ２の制御部である。制御部２０４は、移動体システムの初期設定時に自装置に接続されている全ＲＮＣが、いずれのＶＰＣＩ，ＶＣＩ、及びＣＩＤの値に割り当てられているかを知る為に、ＰＶＰ接続を行ってＶＰＣＩ，ＶＣＩ、及びＣＩＤの値を取得する。そして、制御部２０４は、各ＲＮＣからのＶＰＣＩ，ＶＣＩ、及びＣＩＤの値をＭＥＭ２０３のパス対応データベースに記憶させる。例えば、制御部２０３が、送受信部２０１を介し、ＲＮＣ１に対してＰＶＰ接続を行うと、ＲＮＣ１は、”ＶＰＣＩ＝１，ＶＣＩ＝２，ＣＩＤ＝３”の値を返送する。そして、制御部２０４は、ＭＥＭ２０１のパス対応データベースに、ＲＮＣ１と”ＶＰＣＩ＝１，ＶＣＩ＝２、ＣＩＤ＝３”とを関連付けて記憶させる。更に、制御部２０４は、送信されてくるフレームからＶＰＣＩ，ＶＣＩ、及ＣＩＤの値を抽出し、抽出したＶＰＣＩ，ＶＣＩ、及びＣＩＤの値と一致するＲＮＣをＭＥＭ２０３のパス対応データベースから検索し、検索されてＲＮＣに対してフレームを送信する。例えば、ＲＮＣ１からＲＮＣ３にＡＡＬ２確立要求があった場合、ＲＮＣ１は、ＡＡＬ２確立要求、ＲＮＣ３に割り当てられている”ＶＰＣＩ＝１，ＶＣＩ＝４，ＣＩＤ＝５”を含んだフレームをＭＳＣ２に送信し、ＭＳＣ２は、図５に示すが如く、受信したフレームから”ＶＰＣＩ＝１，ＶＣＩ＝４，ＣＩＤ＝５”を抽出し、抽出した”ＶＰＣＩ＝１，ＶＣＩ＝４，ＣＩＤ＝５”と一致するＲＮＣ３をＭＥＭ２０３のパス対応データベースから検索し、検索されたＲＮＣ３にＲＮＣ１からのフレームを送信する。
【００３５】
続いて、上記構成のおける動作について説明する。
【００３６】
まず、ＭＳＣの初期設定について説明する。
【００３７】
自装置に接続されている全ＲＮＣが、いずれのＶＰＣＩ，ＶＣＩ、及びＣＩＤの値に設定されているか否かを知る為に、ＭＳＣの制御部は、送受信部を介して、全ＲＮＣに対してＰＶＰ接続要求を行う。そして、ＰＶＰ接続要求を受けた全ＲＮＣの制御部は、送受信部を介して、ＰＶＰ接続応答、ＶＰＣＩ、ＶＣＩ、及びＣＩＤの値と含んだフレームをＭＳＣに送信する。例えば、制御部２０４が送受信部２０１を介して、ＲＮＣ１に対してＰＶＰ接続要求を行うと、ＰＶＰ接続要求を受けた制御部１０２は、送受信部１０１を介して、ＰＶＰ接続応答、”ＶＰＩ＝１，ＶＣＩ＝２，ＣＩＤ＝３”を含んだフレームを送信する。更に、ＭＳＣの制御部は、受信したフレームからＶＰＩ，ＶＣＩ、及びＣＩＤの値を抽出し、抽出したＶＰＣＩ，ＶＣＩ、及びＣＩＤの値をＭＥＭのパス対応データベースに記憶さする。
【００３８】
次に、ＲＮＣ間のパス接続の動作について説明する。
【００３９】
図６はＲＮＣ間のパス接続における動作のフローチャートである。
【００４０】
図１に示すが如く、通話中に移動端末装置６がＮｏｄｅ１２のサービスエリアからＮｏｄｅ３１のサービスエリアに移動した場合、引き続き通話ができるようにするハンドオーバー処理を行う為、制御部１０２は、ＡＡＬＬ２確立要求、ＲＮＣ３のＶＰＣＩ，ＶＣＩ、及びＣＩＤの値を含んだフレームを送受信部１０１に送信する。そして、送受信部１０１は、ＡＬＣＡＰ用ＶＣを介して、フレームをＭＳＣ２に送信する（Ｓｔｅｐ４０１）。
【００４１】
ＲＮＣ１からのフレームを受信した制御部２０４は、フレームに含まれているＶＰＣＩ，ＶＣＩ、及びＣＩＤの値を抽出する（Ｓｔｅｐ４０２）。
【００４２】
制御部２０４は、ＭＥＭ２０３のパス対応データベースから、抽出したＶＰＣＩ，ＶＣＩ、及びＣＩＤの値と一致するＶＰＣＩ，ＶＣＩ、及びＣＩＤの値が割り当てられているＲＮＣを検索する。例えば、抽出したＶＰＣＩ，ＶＣＩ、及びＣＩＤの値が、”  ＶＰＣＩ＝１，ＶＣＩ＝４，ＣＩＤ＝５”である場合、図４に示すが如く、ＭＥＭ２０３のパス対応データベースからＲＮＣ３が検索される（Ｓｔｅｐ４０３）。
【００４３】
制御部２０４は、ＲＮＣ１からのフレームをＲＮＣ３に送信するよう送受信部２０２を制御し、送受信部２０２は、ＡＬＣＡＰ用ＶＣを介して、フレームをＲＮＣ３に送信する（Ｓｔｅｐ４０４）。
【００４４】
ＭＳＣ２からのフレームを受信した制御部３０２は、ＲＮＣ１からのＡＡＬ２確立要求に応答する為に、ＡＡＬ２確立応答、ＲＮＣ１のＶＰＣＩ，ＶＣＩ、及びＣＩＤの値を含んだフレームを送受信部３０１に送信し、送受信部３０１は、ＡＬＣＡＰ用ＶＣを介して、フレームをＭＳＣ２に送信する（Ｓｔｅｐ４０５）。
【００４５】
ＲＮＣ３からのフレームを受信した制御部２０４は、フレームに含まれているＶＰＣＩ，ＶＣＩ、及びＣＩＤの値を抽出する（Ｓｔｅｐ４０６）。
【００４６】
制御部２０４は、ＭＥＭ２０３のパス対応データベースから、抽出したＶＰＣＩ，ＶＣＩ、及びＣＩＤと一致するＶＰＣＩ，ＶＣＩ、及びＣＩＤの値が割り当てられているＲＮＣを検索する。例えば、抽出したＶＰＣＩ，ＶＣＩ、及びＣＩＤの値が、”  ＶＰＣＩ＝１，ＶＣＩ＝２，ＣＩＤ＝３”である場合、図４に示すが如く、ＭＥＭ２０３のパス対応データベースからＲＮＣ１が検索される（Ｓｔｅｐ４０７）。
【００４７】
ＭＳＣ２の制御部２０４は、送受信部２０１に、ＲＮＣ３からのフレームをＲＮＣ１に送信するよう制御し、送受信部２０１は、ＡＬＣＡＰ用ＶＣを介して、フレームをＲＮＣ１に送信する（Ｓｔｅｐ４０８）。
【００４８】
尚、本実施の形態では、ＲＮＣ間のパス接続としてＰＶＣ接続方式について説明したが、ＲＮＣ間のパス接続をＰＶＰ接続方式で行うことも可能である。
【００４９】
【発明の効果】
本発明によれば、ＲＮＣ間で直接にパス接続ができ、ＭＳＣの処理能力の向上及び伝送路のコスト削減ができる。
【図面の簡単な説明】
【図１】移動体システムのブロック図である。
【図２】本実施の形態を説明する為の図である。
【図３】ＲＮＣ１とＲＮＣ３とのパス確立の動作を説明する為の図である。
【図４】本発明のブロック図である。
【図５】パス対応データベースを説明する為の図である。
【図６】ＲＮＣ間のパス接続における動作のフローチャートである。
【図７】第１の移動体システムのブロック図である。
【図８】第１の移動体システムの動作を説明する為の図である。
【図９】第２の移動体システムのブロック図である。
【符号の説明】
１，２                  ＲＮＣ
３                      ＭＳＣ
１１，１２，３１，３２  Ｎｏｄｅ
６                      移動端末装置
【図１】
0003543957.tif 000002
【図２】
0003543957.tif 000003
【図３】
0003543957.tif 000004
【図４】
0003543957.tif 000005
【図５】
0003543957.tif 000006
【図６】
0003543957.tif 000007
【図７】
0003543957.tif 000008
【図８】
0003543957.tif 000009
【図９】
0003543957.tif 000010